(57)【要約】  あらゆる形状および大きさの容器を安定して載置可能な容器スタンドを提供する。上方に向かって開口する凹部１２を備え、容器の口部を手前前側上方に向けた状態で凹部１２に容器を載置するように構成されている容器スタンドであって、凹部１２の底部１３の前端部１３ａから後側下方に向かって傾斜する開口面１８と、開口面１８から後方に向かって高くなる少なくとも一つの段差部１９，２０と、段差部１９，２０の上側部分に設けられる上面１９ａ，２０ａと、段差部１９，２０の前側部分に設けられる側面１９ｂ，２０ｂと、上面のうち最も高く配置されたもの２０ａから上方に形成される支持壁面２１とを備え、開口面１８および上面１９ａ，２０ａの少なくとも一つによって容器の側部を支持するように構成し、側面１９ｂ，２０ｂおよび支持壁面２１の少なくとも一つによって容器の底部を支持するように構成していることを特徴とする容器スタンド。【選択図】図７
2009101701.tif 000002
【特許請求の範囲】
【請求項１】
上方に向かって開口する凹部を備え、容器の口部を手前前側上方に向けた状態で容器を前記凹部に載置するように構成されている容器スタンドであって、
前記凹部の底部前端から後側下方に向かって傾斜する開口面と、
該開口面から後方に向かって高くなる少なくとも一つの段差部と、
該段差部の上側部分に設けられる上面と、
前記段差部の前側部分に設けられる側面と、
前記少なくとも一つの段差部の上面のうち最も高く配置されたものから上方に向かって形成される支持壁面とを備え、
前記開口面および前記上面の少なくとも一つによって容器の側部を支持するように構成し、
前記側面および前記支持壁面の少なくとも一つによって容器の底部を支持するように構成していることを特徴とする容器スタンド。
【請求項２】
前記支持壁面には、保持部が設けられ、該保持部は、載置される容器の底部と係合可能に窪むように形成されていることを特徴とする請求項１に記載の容器スタンド。
【請求項３】
前記上面には、後側受け部が設けられ、該後側受け部は、載置される容器の底部および側部と係合可能に窪むように形成されていることを特徴とする請求項１に記載の容器スタンド。
【請求項４】
前記開口面には、前側受け部が設けられ、該前側受け部は、載置される容器の側部と係合可能に窪むように形成されていることを特徴とする請求項１に記載の容器スタンド。
【請求項５】
前記凹部の側壁面の上端部分および前記支持壁面の上端部分の少なくとも一方に着脱可能な支持部材が設けられ、該支持部材が容器を支持可能な支持部を備えていることを特徴とする請求項１に記載の容器スタンド。
【請求項６】
前記開口面に少なくとも一つの貫通孔が設けられ、該貫通孔が容器を支持可能な板状部材を着脱可能なように形成されていることを特徴とする請求項１に記載の容器スタンド。
【発明の詳細な説明】
【技術分野】
【０００１】
本発明は、容器を載置するための容器スタンドに関する。
【背景技術】
【０００２】
近年のネイルアートのブームによって、趣味として自分でネイルケアからネイルアートまでを行うユーザが急増している。しかしながら、素人がネイルアートを上手に行うことは難しく、自分でネイルアートを行うことを断念してしまうユーザも多い。【０００３】
ネイルアートを行う際に、ユーザは、ネイルカラーなどの収容された容器を取り扱うこととなる。このとき、ブラシなどによってネイルカラーなどの内容物が採取される。この容器内の内容物が少なくなった場合には、ユーザはこの容器を傾けることによって、内容物を嵩上げして採取する作業を行うことがある。このような作業はユーザにとって煩わしいものである。そこで、この煩わしさを解消するため、容器を傾けて支持できる容器スタンドが用いられている。【０００４】
しかしながら、ネイルカラーなどの容器には、特に定まった規格がなく、様々な形状のものが存在している。そのため、あらゆる容器を保持可能な容器スタンドを実現することが難しくなっている。このような容器スタンドによって容器が安定して保持されない場合、ユーザは、ネイルカラーなどの内容物を採取する作業に煩わされ、この内容物を塗る作業に集中できないこととなる。このことは、ネイルアートを難しくする原因の一つとなっている。【０００５】
また、このような容器は、ネイルアート以外に用いられる場合もある。粒状、液状またはジェル状などの流動性のある内容物を収容する容器として、例えば、その他の化粧品の容器、文房具の容器、塗料の容器、接着剤の容器、薬剤の容器、ビーズの容器などの幅広い用途に用いられることもある。そのため、ネイルアート以外の用途においても、同様の問題が発生することがある。【０００６】
そこで、様々な容器を安定して保持するために、いくつかの容器スタンドが提案されている。このような容器スタンドを図１９に示す。図１９は、容器１００を保持するための従来の容器スタンド１０１を示す斜視図である。容器スタンド１０１では、水平方向に延在する板状の台板１０２から板状の立板１０３が立設されている。この立板１０３の平面部分１０３ａには支持板部１０４が取付けられている。支持板部１０４は、Ｖ字状の断面を立板１０３の平面部分１０３ａに対して垂直方向に延在させるように形成されている。容器１００は、このような立板１０３および支持板部１０４によって支持されることとなる。ユーザは、このような容器１００内の内容物を、容器１００の口部１００ａからブラシ１００ｂなどによって採取する。このような容器スタンド１０１は特許文献１に開示されている。また、特許文献２には、可撓性のあるクッション状の台が開示されている。
【特許文献１】特開２００５−１１８１１９号公報
【特許文献２】特開２００６−０９５２５１号公報
【発明の開示】
【発明が解決しようとする課題】
【０００７】
しかしながら、特許文献１の容器スタンド１０１では、Ｖ字状の支持板部１０４の形状に対応した容器のみが、安定して載置できるに過ぎない。さらに、図１９のように小さな容器１００を容器スタンド１０１に載置する場合、容器の口部１００aが支持板部１０４上に配置されることとなる。そのため、口部１００ａから容器内の内容物を採取する際に、ブラシ１００ｂが支持板部１０４に接触して、容器スタンド１０１が汚れるおそれがある。【０００８】
一方、特許文献２のクッション状の台では、エナメル液を使用する場合に、エナメル液が台に付着するおそれがある。このような場合、エナメル液が台に浸透して、台が固まることとなる。このような状態では、台の可撓性がなくなり、容器を載置することが難しくなる。また、容器は可撓性のある台に載置されているため、この台に衝撃が少しでも加えられると、台の形状が変化し、容器が動くおそれがある。従って、容器が安定して保持されないこととなる。【０００９】
そこで、本発明の課題は、あらゆる形状および大きさの容器を安定して載置可能な容器スタンドを提供することにある。
【課題を解決するための手段】
【００１０】
課題を解決するために本発明の容器スタンドは、上方に向かって開口する凹部を備え、容器の口部を手前前側上方に向けた状態で容器を前記凹部に載置するように構成されている容器スタンドであって、前記凹部の底部前端から後側下方に向かって傾斜する開口面と、該開口面から後方に向かって高くなる少なくとも一つの段差部と、該段差部の上側部分に設けられる上面と、前記段差部の前側部分に設けられる側面と、前記少なくとも一つの段差部の上面のうち最も高く配置されたものから上方に向かって形成される支持壁面とを備え、前記開口面および前記上面の少なくとも一つによって容器の側部を支持するように構成し、前記側面および前記支持壁面の少なくとも一つによって容器の底部を支持するように構成している。そのため、多様な形状の容器の底部および側部を安定して支持できる。従って、前記容器スタンドは、容器の大きさおよび形状などに関係なく、様々な容器を安定して保持できる。【００１１】
本発明の容器スタンドでは、前記支持壁面に、保持部が設けられ、該保持部は、載置される容器の底部と係合可能に後方に向かって窪むように形成されており、前記保持部によって、さらに多様な形状の容器の底部と係合できるようになる。そのため、さらに様々な容器を安定して保持できる。【００１２】
本発明の容器スタンドでは、前記上面に、後側受け部が設けられ、該後側受け部は、載置される容器の底部および側部と係合可能に下方に向かって窪むように形成されており、さらに多様な形状の容器の底部および側部を安定して支持できる。そのため、前記容器スタンドは、さらに様々な容器を安定して保持できる。【００１３】
本発明の容器スタンドでは、前記開口面に、前側受け部が設けられ、該前側受け部は、載置される容器の側部と係合可能に下方に向かって窪むように形成されており、さらに多様な形状の容器の側部を安定して支持できる。そのため、前記容器スタンドは、さらに様々な容器を安定して保持できる。【００１４】
本発明の容器スタンドでは、前記凹部の側壁面の上端部分および前記支持壁面の上端部分の少なくとも一方に着脱可能な支持部材が設けられ、該支持部材が容器を支持可能な支持部を備えており、この支持部によって容器が上方から支持されることとなる。そのため、さらに安定して容器を保持できる。【００１５】
本発明の容器スタンドでは、前記側壁面または前記支持壁面のいずれか一方の壁面に取付けられた前記支持部材が、基部および２つの前記支持部を備え、前記２つの支持部が、前記基部から下方に延在するようにそれぞれ形成され、前記２つの支持部の間に互いに間隔を空けるように溝部が設けられ、該溝部の幅が前記一方の壁面の設けられた壁部の厚さに対応する大きさに形成され、該２つの支持部が、互いに異なる形状に形成されてもよく、容器の形状に対応して適宜選択された２つの支持部のうちのいずれかによって、容器を支持できる。そのため、さらに様々な種類の容器を安定して保持できる。【００１６】
前記一対の側壁面が、階段状のガイド段部をそれぞれ備えており、該ガイド段部は、前記側壁面の前端から前記支持壁面に向かって延在し、前記支持部材を支持可能なように形成されていてもよく、前記ガイド段部上で前記支持部材を安定して支持できる。そのため、前記支持部材によって、容器をより安定して保持できる。【００１７】
本発明の容器スタンドでは、前記開口面に少なくとも一つの貫通孔が設けられ、該貫通孔が容器を支持可能な板状部材を着脱可能なように形成されており、前記板状部材によっても容器の側部を支持できる。そのため、前記板状部材の突出量などを調節することによって、容器の上下方向の傾きを適宜調節できる。
【発明の効果】
【００１８】
本発明によれば、あらゆる形状および大きさの容器を安定して載置可能な容器スタンドを提供することができる。
【図面の簡単な説明】
【００１９】
【図１】（ａ）は、第一の容器の正面図である。（ｂ）は、第一の容器の下面図である。
【図２】（ａ）は、第二の容器の正面図である。（ｂ）は、第二の容器の下面図である。
【図３】（ａ）は、第三の容器の正面図である。（ｂ）は、第三の容器の下面図である。
【図４】（ａ）は、第四の容器の正面図である。（ｂ）は、第四の容器の下面図である。
【図５】（ａ）は、第五の容器の正面図である。（ｂ）は、第五の容器の下面図である。
【図６】（ａ）は、第六の容器の正面図である。（ｂ）は、第六の容器の下面図である。
【図７】本発明の第一実施形態において、第一の容器を載置した容器スタンドの外観を示す概略斜視図である。
【図８】本発明の第一実施形態における容器スタンドを示す概略斜視図である。
【図９】（ａ）は、本発明の第一実施形態における容器スタンドの正面図である。（ｂ）は、図９（ａ）のＡ−Ａ断面図である。（ｃ）は、本発明の第一実施形態における容器スタンドの上面図である。（ｄ）は、本発明の第一実施形態における容器スタンドの下面図である。
【図１０】（ａ）は、図９（ｂ）の容器スタンドに、第一の容器を載置した状態を示す図である。（ｂ）は、図９（ｂ）の容器スタンドに、第二の容器を載置した状態を示す図である。
【図１１】本発明の第二実施形態における容器スタンドを示す概略斜視図である。
【図１２】（ａ）は、本発明の第二実施形態における容器スタンドの上面図である。（ｂ）は、図１２（ａ）のＢ−Ｂ断面図である。
【図１３】本発明の第二実施形態において、容器スタンドの支持壁面に支持部材を取付けた状態を示す概略斜視図である。
【図１４】（ａ）は、支持部材の側面図である。（ｂ）は、支持部材の正面図である。
【図１５】本発明の第二実施形態において、容器スタンドの側壁面に支持部材を取付けた状態を示す概略斜視図である。
【図１６】本発明の第二実施形態において、容器スタンドの凹部内に支持部材を載置した状態を示す概略上面図である。
【図１７ａ】図１２（ｂ）の容器スタンドに、第三の容器を載置した状態を示す図である。
【図１７ｂ】図１２（ｂ）の容器スタンドに、第四の容器を載置した状態を示す図である。
【図１７ｃ】図１２（ｂ）の容器スタンドに、第五の容器を載置した状態を示す図である。
【図１７ｄ】支持部材を取付けた図１２（ｂ）の容器スタンドに、第六の容器を載置した状態を示す図である。
【図１７ｅ】支持部材を取付けた図１２（ｂ）の容器スタンドに、第四の容器を載置した状態を示す図である。
【図１８】（ａ）本発明の第三実施形態における容器スタンドの正面図である。（ｂ）は、図１８（ａ）のＣ−Ｃ断面図において、容器スタンドに第五の容器を載置した状態を示す図である。
【図１９】従来の容器スタンドを示す斜視図である。
【符号の説明】
【００２０】
１  第一の容器
２  第二の容器
３  第三の容器
４  第四の容器
５  第五の容器
６  第六の容器
１ａ，２ａ，３ａ，４ａ，５ａ，６ａ  胴部
１ｂ，２ｂ，３ｂ，４ｂ，５ｂ，６ｂ  口部
１ｃ，２ｃ，３ｃ，４ｃ，５ｃ，６ｃ  底部
１ｄ，３ｄ，４ｄ，５ｄ，６ｄ  側部
１ｅ，２ｆ，３ｅ，４ｅ，５ｅ，６ｅ  頂部
１ｆ，２ｇ，３ｆ，４ｆ，５ｆ，６ｆ  キャップ
２ｄ  長辺側部
２ｅ  短辺側部
１１  容器スタンド
１２  凹部
１３  底部
１３ａ  前端部
１４  側壁面
１５  脚部
１５ａ，１５ｂ  側面部分
１５ｃ  底面部
１５ｄ  空洞部
１５ｅ  開口部
１６  連結突起部
１７  連結溝部
１８  開口面
１９  第一段差部
１９ａ  第一上面
１９ｂ  第一側面
２０  第二段差部
２０ａ  第二上面
２０ｂ  第二側面
２１  支持壁面
２２  保持部
２２ａ  係合面
２２ｂ  支持面
２３  ポケット部
２４  蓋部材
３１  容器スタンド
３２  第一前側受け部
３３  第二前側受け部
３４  第一後側受け部
３５  第二後側受け部
３５ａ  第三上面
３５ｂ  第三側面
３６  第三後側受け部
３７  ガイド段部
３８ａ  第一ガイド溝部
３８ｂ  第二ガイド溝部
３９  支持部材
４０  第一支持部
４０ａ  第一係合部分
４１  第二支持部
４１ａ  第二係合部分
４２  基部
４２ａ  側面部分
４３  溝部
４４  突起部
５１  容器スタンド
５２  貫通孔
５３  板状部材
Ｆ  矢印
Ｈ  距離
Ｗ  幅
Ｌ  長さ
Ｓ  突出量
【発明を実施するための最良の形態】
【００２１】
本発明の実施形態における容器スタンドに使用される容器を以下に説明する。なお、以下に説明する容器は例示であり、本発明の容器スタンドに使用される容器を限定するものではない。本発明の容器スタンドは、その他の形状の容器を使用してもよい。【００２２】
図１（ａ）は、第一の容器１の正面図である。図１（ｂ）は、第一の容器１の下面図である。第一の容器１は、胴部１ａおよび口部１ｂを備えている。胴部１ａの外形は、円柱状に形成されている。胴部１ａは、底部１ｃ、側部１ｄおよび頂部１ｅを備えている。底部１ｃは、円形状に形成されている。側部１ｄは、底部１ｃの外周縁部から上方に延在するように形成されている。頂部１ｅは、側部１ｄの上端部に配設されている。口部１ｂは、頂部１ｅから上方に延在するように形成されている。口部１ｂには、キャップ１ｆが取付けられている。【００２３】
図２（ａ）は、第二の容器２の正面図である。図２（ｂ）は、第二の容器２の下面図である。第二の容器２は、胴部２ａおよび口部２ｂを備えている。胴部２ａの外形は、略四角錘状に形成されている。胴部２ａは、底部２ｃ、一対の長辺側部２ｄ，２ｄ、一対の短辺側部２ｅ，２ｅおよび頂部２ｆを備えている。底部２ｃは、略長方形状に形成されている。底部２ｃの一対の長辺は、直線状に形成されており、第一の容器１の底部１ｃの直径より長く形成されている。底部２ｃの一対の短辺は、底部２ｃの外方に向かって突出するＶ字状に形成されており、第一の容器１の底部１ｃの直径より短く形成されている。一対の長辺側部２ｄ，２ｄは、底部２ｃの一対の長辺から立設している。一対の短辺側部２ｅ，２ｅは、底部２ｃの短辺から上方に向かって形成されている。また、一対の短辺側部２ｅ，２ｅは、互いに向き合う方向に傾斜するように形成されている。頂部２ｆは、一対の長辺側部２ｄ，２ｄおよび一対の短辺側部２ｅ，２ｅの上端部に配設されている。このような胴部２ａの高さは、第一の容器１の胴部１ａの高さと等しく形成されている。さらに、口部２ｂは、頂部２ｆから上方に延在するように形成されている。口部２ｂには、キャップ２ｇが取付けられている。【００２４】
図３（ａ）は、第三の容器３の正面図である。図３（ｂ）は、第三の容器３の下面図である。第三の容器３は、胴部３ａおよび口部３ｂを備えている。胴部３ａの外形は、楕円柱状に形成されている。胴部３ａは、底部３ｃ、側部３ｄおよび頂部３ｅを備えている。底部３ｃは、楕円形に形成されている。楕円形の底部３ｃの長径は、第一の容器１の底部１ｃの直径より大きく形成されている。楕円形の底部３ｃの短径は、第一の容器１の底部１ｃの直径より小さく形成されている。側部３ｄは、底部３ｃの外周縁部から上方に延在するように形成されている。頂部３ｅは、側部３ｄの上端部に配設されている。このような胴部３ａの高さは、第一の容器１の胴部１ａの高さよりも高く形成されている。口部３ｂは、頂部３ｅから上方に延在するように形成されている。口部３ｂには、キャップ３ｆが取付けられている。【００２５】
図４（ａ）は、第四の容器４の正面図である。図４（ｂ）は、第四の容器４の下面図である。第四の容器４は、胴部４ａおよび口部４ｂを備えている。胴部４ａの外形は、楕円柱状に形成されている。胴部４ａは、底部４ｃ、側部４ｄおよび頂部４ｅを備えている。底部４ｃは、楕円形に形成されている。楕円形の底部４ｃの長径は、第一の容器１の底部１ｃの直径より大きく形成されている。楕円形の底部４ｃの短径は、第一の容器１の底部１ｃの直径より小さく形成されている。側部４ｄは、底部４ｃの外周縁部から上方に延在するように形成されている。頂部４ｅは、側部４ｄの上端部に配設されている。このような胴部４ａの高さは、第一の容器１の胴部１ａの高さと等しく形成されている。口部４ｂは、頂部４ｅから上方に向かって延在するような円筒状に形成されている。口部４ｂの上端部は開口している。口部４ｂには、キャップ４ｆが取付けられている。【００２６】
図５（ａ）は、第五の容器５の正面図である。図５（ｂ）は、第五の容器５の下面図である。第五の容器５は、胴部５ａおよび口部５ｂを備えている。胴部５ａの外形は、円柱状に形成されている。胴部５ａは、底部５ｃ、側部５ｄおよび頂部５ｅを備えている。底部５ｃは、円形状に形成されており、第一の容器１の底部１ｃと等しい直径に形成されている。側部５ｄは、底部５ｃの外周縁部から上方に延在するように形成されている。頂部５ｅは、側部５ｄの上端部に配設されている。このような胴部５ａの高さは、第一の容器１の胴部１ａの高さより低く形成されている。口部５ｂは、頂部５ｅから上方に延在するように形成されている。口部５ｂには、キャップ５ｆが取付けられている。【００２７】
図６（ａ）は、第六の容器６の正面図である。図６（ｂ）は、第六の容器６の下面図である。第六の容器６は、胴部６ａおよび口部６ｂを備えている。胴部６ａの外形は、四角柱状に形成されている。胴部６ａは、底部６ｃ、４つの側部６ｄ，６ｄ，６ｄ，６ｄおよび頂部６ｅを備えている。底部５ｃは、正方形状に形成されている。底部６ｃの一辺の長さは、第一の容器１の底部１ｃの直径と等しい長さに形成されている。４つの側部６ｄ，６ｄ，６ｄ，６ｄは、底部６ｃの各辺から上方に延在するように形成されている。頂部６ｅは、側部６ｄの上端部に配設されている。このような胴部６ａの高さは、第五の容器５の胴部５ａの高さより低く形成されている。口部６ｂは、頂部６ｅから上方に延在するように形成されている。口部６ｂには、キャップ６ｆが取付けられている。【００２８】
本発明の実施形態における容器スタンドを以下に説明する。本発明の実施形態では、ネイルアートに用いられる容器スタンドについて説明する。しかしながら、本発明の容器スタンドの用途は、ネイルアートに限られるものではない。本発明の容器スタンドは、幅広い用途に適用可能である。【００２９】
本発明の第一実施形態における容器スタンドを以下に説明する。本発明の容器スタンドを説明する場合、容器スタンドの手前側を前側とする。図７は、本発明の第一実施形態において、第一の容器１を載置した容器スタンド１１の外観を示す概略斜視図である。前側方向を矢印Ｆで示す。容器スタンド１１は凹部１２を備えている。凹部１２は、上方および前方に向かって開口し、手前前側から後方に向かって延在するように形成されている。なお、凹部１２の延在する方向を前後方向とし、さらに、この前後方向および上下方向に直交する方向を幅方向として、以下の第一実施形態の説明に用いるものとする。第一の容器１の胴部１ａは凹部１２に載置されている。第一の容器１の口部１ｂは、凹部１２の前端から突出しており、前側上方に向いている。この第一の容器１に収容された内容物が、キャップ１ｆに取付けられたブラシ１ｇなどにより採取されることとなる。【００３０】
図８は、本発明の第一実施形態における容器スタンド１１を示す概略斜視図である。前側方向を矢印Ｆで示す。凹部１２は、底部１３および一対の側壁面１４，１４を備えている。一対の側壁面１４，１４は、底部１３の幅方向の両側端から上方に向かってそれぞれ形成されている。凹部１２の下側には、脚部１５が設けられている。【００３１】
図９（ａ）は、本発明の第一実施形態における容器スタンド１１の正面図である。凹部１２の底部１３の前端部１３ａは、下方に向かって湾曲するように形成されている。一対の側壁面１４，１４は、上方に向かうに従って互いに間隔を広げるように形成されている。脚部１５は、連結突起部１６および連結溝部１７を備えている。連結突起部１６は、脚部１５の一方の側面部分１５ａから幅方向に突出して形成されている。連結溝部１７は、脚部１５の他方の側面部分１５ｂに配設されており、連結突起部１６の形状と対応するように幅方向に窪んだ形状に形成されている。【００３２】
図９（ｂ）は、図９（ａ）のＡ−Ａ断面図である。容器を載置するための底部１３は、開口面１８、第一段差部１９、および第二段差部２０を備えている。開口面１８は、底部１３の前端部１３ａから後側下方に傾斜するように形成されている。【００３３】
第一段差部１９は、開口面１８から後方に向かって高くなるように形成されている。第一段差部１９の上側部分には、第一上面１９ａが設けられている。第一段差部１９の前側部分には、第一側面１９ｂが設けられている。第一上面１９ａは、後側下方に向かって傾斜するように形成されている。第一側面１９ｂは、後側上方に向かって傾斜するように形成されている。【００３４】
第二段差部２０は、第一上面１９ａから後方に向かって高くなるように形成されている。第二段差部２０の上側部分には、第二上面２０ａが設けられている。第二段差部２０の前側部分には第二側面２０ｂが設けられている。第二上面２０ａは、水平方向に延在するように形成され、底部１３の前端部１３ａよりも低い位置に配置されている。第二側面２０ｂは、後側上方に向かって傾斜するように形成されている。【００３５】
第二段差部２０の第二上面２０ａには、上方に向かうように形成される支持壁面２１が設けられている。支持壁面２１には、保持部２２が設けられている。保持部２２は、支持壁面２１の幅方向の中央で、かつ支持壁面２１の上端寄りに配設されている。保持部２２は、後方に向かって断面Ｖ字状に窪むように形成されている。保持部２２は、係合面２２ａおよび支持面２２ｂを備えている。係合面２２ａは、支持壁面２１から後側下方に向かって傾斜するように形成されている。支持面２２ｂは、支持壁面２１から後側上方に向かって傾斜しており、第一側面１９ｂと同一延長平面上に形成されている。【００３６】
支持壁面２１の後方には、ポケット部２３が設けられている。ポケット部２３は、袋状に形成されている。ポケット部２３は、側壁面１４の上端部分近傍で開口している。ポケット部２３の底部は、脚部１５の底面部１５ｃ近傍に配置されている。【００３７】
脚部１５の内部には、空洞部１５ｄが設けられている。空洞部１５ｄは、ポケット部２３の前側で、かつ第一段差部１９および第二段差部２０の下方に配置されている。脚部１５の底面部１５ｃには、開口部１５ｅが形成されており、空洞部１５ｄは、この開口部１５ｅで開口している。さらに、底面部１５ｃには、開口部１５ｅを塞ぐように蓋部材２４が取付けられている。【００３８】
図９（ｃ）は、本発明の第一実施形態における容器スタンド１１の上面図である。底部１３の前端部１３ａは、前方に向かって湾曲するように形成されている。第一段差部１９の前端は、前方に向かって湾曲するように形成されている。開口面１８は、このような底部１３の前端部１３ａと第一段差部１９の前端との間で、前方に向かって湾曲するように形成されている。第一段差部１９、第二段差部２０および支持壁面２１は、一対の側壁面１４，１４の間で幅方向に延在している。保持部２２は、正面視した場合に楔形状に形成されている。ポケット部２３は、後方に向かって湾曲する半円状に形成されている。【００３９】
図９（ｄ）は、本発明の第一実施形態における容器スタンド１１の下面図である。蓋部材２４は、脚部１５の開口部１５ｅに対応する形状に形成されている。連結突起部１６は、前後方向に延在する長方形状に形成されている。連結溝部１７は、連結突起部１６の形状に対応するように長方形状に形成されており、脚部１５の後端で開口している。【００４０】
図１０（ａ）は、図９（ｂ）の容器スタンド１１に、第一の容器１を載置した状態を示す図である。第一の容器１の底部１ｃは、支持壁面２１によって支持されている。第一の容器１の側部１ｄは、第二上面２０ａおよび開口面１８によって下方から支持されている。そのため、第一の容器１の口部１ｂは、前側上方を向くとともに、底部１３の前端部１３ａから前方に突出するように配置されることとなる。【００４１】
図１０（ｂ）は、図９（ｂ）の容器スタンド１１に、第二の容器２を載置した状態を示す図である。第二の容器２は、一対の長辺側部２ｄ，２ｄを起立させるような姿勢で載置されている。第二の容器２の底部２ｃは、第一側面１９ｂ、保持部２２の係合面２２ａおよび支持面２２ｂによって支持されている。係合面２２ａは、底部２ｃと係合した状態となっている。下方の短辺側部２ｅは、開口面１８によって下方から支持されている。そのため、第二の容器２の口部２ｂは、前側上方を向くとともに、底部１３の前端部１３ａから前方に突出するように配置されることとなる。【００４２】
このような第一実施形態の構成によって、容器スタンド１１に様々な形態の容器が載置される場合であっても、第一実施形態の容器スタンド１１は、開口面１８、第一上面１９ａおよび第二上面２０ａの少なくとも一つによって、容器の側部を支持でき、第一側面１９ｂ、第二側面２０ｂおよび支持壁面２１の少なくとも一つによって、様々な容器の底部を支持できる。そのため、多様な形状の容器の底部および側部を安定して支持できる。従って、容器スタンド１１は、容器の大きさおよび形状などに関係なく、様々な容器を安定して保持できる。【００４３】
第一実施形態の容器スタンド１１は、保持部２２によって、さらに多様な形状の容器の底部と係合できるようになる。そのため、容器スタンド１１は、さらに様々な容器を安定して保持できる。【００４４】
第一実施形態の容器スタンド１１は、連結突起部１６を別の容器スタンド１１の連結溝部１７に嵌合させることによって、別の容器スタンド１１と連結できる。そのため、複数の容器スタンド１１を連結して一体にした状態で使用できる。従って、複数種類の内容物を使い分けて作業をする場合に、この内容物を収容した複数種類の容器を、一体になった複数の容器スタンド１１に集約して、作業効率を改善できる。【００４５】
第一実施形態の容器スタンド１１は、ポケット部２３に様々な道具を収納できる。例えば、ネイルアートおよびネイルケアを行なう場合、綿棒やキューティクルプッシャー、ピンセットなどの棒状の道具をポケット部２３に収容できる。従って、このような道具を用いる作業の効率を改善できる。【００４６】
ここまで発明の第一実施形態について述べたが、本発明は既述の実施形態に限定されるものではなく、本発明の技術的思想に基づいて各種の変形および変更が可能である。【００４７】
例えば、第一実施形態の第一変形例として、脚部１５に通気孔を穿設して、容器スタンド１１の外部と脚部１５の空洞部１５ｄとを連通するように構成してもよい。この通気孔は、円形、ハート形など様々な形状に形成されてもよく、複数個設けられても良い。脚部１５の空洞部１５ｄに香料を含浸させた綿などを入れた場合に、この綿から揮散する香料が、この通気孔から容器スタンド１１の外部に拡散することとなる。従って、マニキュアなどの溶剤の臭いを香料で和らげることができる。【００４８】
第一実施形態の第二変形例として、開口面１８の前端に、この開口面１８より摩擦係数の大きな滑止部材を設けてもよい。この滑止部材は、例えば、シリコンなどであってもよい。容器が開口面１８によって支持される場合に、この滑止部材によって容器を安定して保持できる。【００４９】
第一実施形態の第三変形例として、脚部１５の底面１５ｃに、この底面１５ｃより摩擦係数の大きな滑止部材を設けてもよい。容器スタンド１１の脚部１５が滑止部材によって強固に支持され、容器スタンド１１が作業中に動くことを防止できる。【００５０】
本発明の第二実施形態における容器スタンド３１を以下に説明する。特に、第一実施形態から変更した特徴的な形態を説明する。この容器スタンド３１の基本的な構造は、第一実施形態の容器スタンド１１と同一である。第一実施形態と基本的な構造を同一とするものには、同一の名称および同一の符号を用いるものとする。なお、第二実施形態の容器スタンド３１は、第一実施形態の容器スタンド１１と同様な方向で定義されるものとする。また、第二実施形態の容器スタンド３１においても、第一実施形態の第一変形例〜第三変形例と同様の変更が可能である。【００５１】
図１１は、本発明の第二実施形態における容器スタンド３１を概略的に示す斜視図である。前側方向を矢印Ｆで示す。開口面１８の前方寄りに、一対の第一前側受け部３２，３２が、幅方向に互いに間隔を空けて配設されている。さらに、一対の第一前側受け部３２，３２の間には、第二前側受け部３３が配設されている。【００５２】
第一上面１９ａには、第一後側受け部３４が下方に窪むように形成されている。第二段差部２０には、第二後側受け部３５が設けられている。第二後側受け部３５は、第二上面２０ａから下方に窪むように形成され、かつ第二側面２０ｂで下方に膨らむ湾曲形状に形成されている。第二後側受け部３５の湾曲形状の下縁部分は、第三上面３５ａとなっている。また、第二後側受け部３５には、第三上面３５ａから第二上面２０ａまで上方に向かって延在する第三側面３５ｂが設けられている。さらに、第三上面３５ａの前端部には、第三後側受け部３６が下方に窪むように形成されている。【００５３】
側壁面１４は、ガイド段部３７、第一ガイド溝部３８ａおよび第二ガイド溝部３８ｂを備えている。ガイド段部３７は、側壁面１４から凹部１２の幅方向内側に向かって突出するように階段状に形成されている。ガイド段部３７は、開口面１８、第一段差部１９および第二段差部２０より上方で、側壁面１４の前端から支持壁面２１まで延在するように形成されている。第一ガイド溝部３８ａおよび第二ガイド溝部３８ｂは、側壁面１４に凹部１２の幅方向外側に向かって窪むように形成されている。また、第一ガイド溝部３８ａおよび第二ガイド溝部３８ｂは、側壁面１４の前端から支持壁面２１まで延在するように形成されている。第一ガイド溝部３８ａおよび第二ガイド溝部３８ｂは、ガイド段部３７より上方に配置されており、第一ガイド溝部３８ａは、第二ガイド溝部３８ｂより上方に位置している。【００５４】
図１２（ａ）は、本発明の第二実施形態における容器スタンド３１の上面図である。第二前側受け部３３は、開口面１８の幅方向の中央に配置され、前方に向かって湾曲するように形成されている。第二前側受け部３３は、一対の第一前側受け部３２，３２と幅方向でそれぞれ隣接している。第二前側受け部３３は、第一前側受け部３２の前端より前方に突出するように形成されている。第一前側受け部３２の前端は、幅方向に延在する直線状に形成されている。第一前側受け部３２の側壁面１４側の側端は、前後方向に延在する直線状に形成されている。ガイド段部３７は、一対の側壁面１４，１４にそれぞれ設けられている。一対のガイド段部３７，３７は、幅方向に互いに距離Ｈの間隔を空けて配置されている。【００５５】
第一後側受け部３４は、第一上面１９ａの幅方向の中央に配置されている。第一後側受け部３４は楔形状に形成されている。第二後側受け部３５は、第二上面２０ａの幅方向の中央に配置され、幅方向に延在するように形成されている。第三後側受け部３６は、第三上面３５ａの幅方向の中央に配置され、幅方向に延在するように形成されている。第二後側受け部３５の幅方向の長さは、第三後側受け部３６の幅方向の長さより長く形成されている。【００５６】
図１２（ｂ）は、図１２（ａ）のＢ−Ｂ断面図である。第一前側受け部３２は、開口面１８から下方に窪むように形成されている。第二前側受け部３３は、第一前側受け部３２よりも下方に窪むように形成されている。第三側面３５ｂは、第二側面２０ｂと平行に、後側上方に向かって傾斜するように形成されている。ガイド段部３７、第一ガイド溝部３８ａおよび第二ガイド溝部３８ｂは、後側下方に向かって傾斜するように形成されている。【００５７】
図１３は、本発明の第二実施形態において、容器スタンド３１の支持壁面２１に支持部材３９を取付けた状態を概略的に示す斜視図である。支持部材３９は、支持壁面２１の上端部に取付けられている。支持部材３９は、支持壁面２１に沿って延在するように形成されている。【００５８】
図１４（ａ）は、支持部材３９の側面図である。なお、ここでは用いる方向は容器スタンド３１を基準とし、図１３のように支持部材３９を支持壁面２１に取付けた状態で説明する。前側方向を矢印Ｆで示す。支持部材３９は、第一支持部４０、第二支持部４１および基部４２を備えている。第一支持部４０および第二支持部４１は、基部４２から下方に向かって延在するようにそれぞれ形成されている。第一支持部４０の上下方向の長さは、第二支持部４１の上下方向の長さよりも長く形成されている。第一支持部４０の前後方向の最大厚さは、第二支持部４１の前後方向の最大厚さよりも大きく形成されている。第一支持部４０および第二支持部４１は、それぞれ下方に向かうに従って、前後方向の厚さが薄くなるように形成されている。【００５９】
また、第一支持部４０および第二支持部４１は、前後方向に互いに間隔を空けて配置されており、第一支持部４０と第二支持部４１との間には、溝部４３が設けられている。溝部４３は、上下方向に延在するように形成されることとなる。溝部４３の幅Ｗは、支持壁面２１の設けられた壁部の厚さ、および側壁面１４の設けられた壁部の厚さの少なくとも一つに対応するように形成されている。基部４２の側面部分４２aには、突起部４４が設けられている。突起部４４は、溝部４３の上方に配置されている。【００６０】
図１４（ｂ）は、支持部材３９の正面図である。なお、ここでは用いる方向は容器スタンド３１を基準とし、図１３のように支持部材３９を支持壁面２１に取付けた状態として説明する。前側方向を矢印Ｆで示す。第一支持部４０には、第一係合部分４０ａが設けられている。第一係合部分４０ａは、複数の湾曲形状を組み合わせることによって、第一支持部４０の下縁部から上方に突出する略Ｖ字状に形成されている。第二支持部４１には、第二係合部分４１ａが設けられている。第二係合部分４１ａは、第二支持部４１の下縁部から上方に膨らむ円弧状に形成されている。【００６１】
支持部材３９の幅方向の長さＬは、一対のガイド段部３７，３７同士の距離Ｈよりも長く形成されている。また、長さＬは、一対の側壁面１４，１４同士の間隔よりも短く形成されている。そのため、支持部材３９は、一対の側壁面１４，１４の間に挿入可能であり、一対のガイド段部３７，３７上に載置可能となっている。突起部４４は、基部４２の側面部分４２ａから幅方向に突出するように形成されている。突起部４４は、基部４２の一対の側面部分４２ａ，４２ａにそれぞれ設けられている。突起部４４の突出量Ｓは、支持部材３９をガイド段部３７，３７に載置した状態で、側壁面１４に設けられた第一ガイド溝部３８ａおよび第二ガイド溝部３８ｂに係合可能な長さとなっている。【００６２】
このような支持部材３９は、溝部４３を支持壁面２１または側壁面１４に嵌合させることによって、容器スタンド３１に取付けられることとなる。支持部材３９は、第一支持部４０および第二支持部４１のどちらも容器側に配置できる。容器スタンド３１に載置された容器は、第一支持部４０および第二支持部４１のいずれか一方と係合することによって保持されることとなる。支持部材３９を支持壁面２１に取付けた容器スタンド３１は、図１３に示すような形態となる。また、支持部材３９を側壁面１４に取付けた容器スタンド３１は、図１５に示すような形態となる。図１５では、支持部材３９は、側壁面１４の上端部分に取付けられており、第一支持部４０を側壁面１４に延在させるように配置されている。【００６３】
また、支持部材３９を一対のガイド段部３７，３７上に載置できる。このような容器スタンド３１を図１６に示す。支持部材３９は、基部４２側を前方に向けて、かつ第一支持部４０側を後方に向けた状態で配置されている。図１６では、支持部材３９が、第一支持部４０を上側に向けて配置されているが、第二支持部４１を上側に向けて配置することもできる。このとき、支持部材３９の突起部４４は、側壁面１４の第一ガイド溝部３８ａに係合している。【００６４】
図１７ａは、図１２（ｂ）の容器スタンド３１に、第三の容器３を載置した状態を示す図である。第三の容器３は、楕円柱状の胴部３ａの長径を起立させるような姿勢で載置されている。支持部材３９は、第二支持部４１を第三の容器３側に配置した状態で支持壁面２１に取付けられている。第三の容器３の底部３ｃは、支持壁面２１によって支持されている。第三の容器３の側部３ｄは、下方から第二前側受け部３３および第一後側受け部３４によって支持され、上方から支持部材３９の第二係合部分４１ａによって支持されている。そのため、第三の容器３の口部３ｂは、前側上方を向くとともに、底部１３の前端部１３ａから前方に突出するように配置されることとなる。【００６５】
図１７ｂは、図１２（ｂ）の容器スタンド３１に、第四の容器４を載置した状態を示す図である。第四の容器４は、楕円柱状の胴部４ａの長径を起立させるような姿勢で載置されている。支持部材３９は、第一支持部４０を第四の容器４側に配置した状態で支持壁面２１に取付けられている。第四の容器４の底部４ｃは、支持壁面２１および第三後側受け部３６によって支持されている。第四の容器４の側部４ｄは、下方から第二前側受け部３３によって支持され、上方から支持部材３９の第一係合部分４０ａによって支持されている。そのため、第四の容器４の口部４ｂは、前側上方を向くとともに、底部１３の前端部１３ａから前方に突出するように配置されることとなる。【００６６】
図１７ｃは、図１２（ｂ）の容器スタンド３１に、第五の容器５を載置した状態を示す図である。支持部材３９は、第一支持部４０を第五の容器５側に配置した状態で側壁面１４に取付けられている。第五の容器５の底部５ｃは、第二側面２０ｂによって支持されている。第五の容器５の側部５ｄは、下方から第一上面１９ａおよび第一前側受け部３２によって支持され、上方から支持部材３９の第一支持部４０によって支持されている。そのため、第五の容器５の口部５ｂは、前側上方を向くとともに、底部１３の前端部１３ａから前方に突出するように配置されることとなる。【００６７】
図１７ｄは、支持部材３９を取付けた図１２（ｂ）の容器スタンド３１に、第六の容器６を載置した状態を示す図である。支持部材３９は、支持壁面２１と当接するようにガイド段部３７に載置されている。支持部材３９は、基部４２を前方に向けて、第一支持部４０および第二支持部４１を後方に向けて配置されている。また、支持部材３９は、第一支持部４０を上方に向けて配置されている。支持部材３９の突起部４４は、第一ガイド溝部３８ａと係合している。第六の容器６の底部６ｃは、支持部材３９の基部４２によって支持されている。第六の容器６の側部６ｄは、下方から開口面１８によって支持されている。そのため、第六の容器６の口部６ｂは、前側上方を向くとともに、底部１３の前端部１３ａから前方に突出するように配置されることとなる。【００６８】
図１７ｅは、支持部材３９を取付けた図１２（ｂ）の容器スタンド３１に、第四の容器４を載置した状態を示す図である。第四の容器４は、楕円柱状の胴部４ａの長径を起立させるような姿勢で載置されている。支持部材３９は、第一支持部４０および第二支持部４１をほぼ上方に向け、かつ基部４２をほぼ下方に向けた状態で、ガイド段部３７に載置され、支持部材３９の突起部４４（仮想線で示す）は、第二ガイド溝部３８ｂと係合している。第四の容器４の底部４ｃは、保持部２２の係合面２２ａおよび支持面２２ｂによって支持されている。係合面２２ａは、底部４ｃと係合した状態となっている。第四の容器４の側部４ｄは、下方から第二係合部分４１ａによって支持されている。そのため、第四の容器４の口部４ｂは、前側上方を向くとともに、底部１３の前端部１３ａから前方に突出するように配置されることとなる。【００６９】
よって、第二実施形態の容器スタンド３１は、第一後側受け部３４、第二後側受け部３５および第三後側受け部３６の少なくとも一つによって、さらに多様な形状の容器の底部および側部と係合できるようになる。そのため、容器スタンド３１は、さらに様々な容器を安定して保持できる。【００７０】
第二実施形態の容器スタンド３１は、第一前側受け部３２および第二前側受け部３３の少なくとも一つによって、さらに多様な形状の容器の側部と係合できるようになる。そのため、容器スタンド３１は、さらに様々な容器を安定して保持できる。【００７１】
第二実施形態の容器スタンド３１は、支持部材３９の第一支持部４０および第二支持部４１によって容器が上方から支持されることとなる。そのため、さらに安定して容器を保持できる。【００７２】
第二実施形態の容器スタンド３１は、支持部材３９の第一支持部４０と第二支持部４１とをそれぞれ異なる形状に形成している。そのため、容器の形状に対応して適宜選択された第一支持部４０および第二支持部４１のいずれかによって、容器を支持できる。そのため、さらに様々な種類の容器を安定して保持できる。【００７３】
第二実施形態の容器スタンド３１は、支持部材３９の幅方向の長さＬを、一対の側壁面１４，１４の間隔より小さく形成している。そのため、支持部材３９を凹部１２内に載置できる。従って、凹部１２内に載置された支持部材３９によって容器を支持できる。例えば、容器の胴部の高さが低いために容器の口部を凹部１２の前端から突出させることが難しい場合に、支持部材３９が容器の底部を支持することによって、容器の胴部の高さを嵩上げし、容器の口部を凹部１２の前端から突出させることもできる。【００７４】
第二実施形態の容器スタンド３１は、側壁面１４にガイド段部３７を設けている。そのため、このガイド段部３７に支持部材３９を安定して支持できる。従って、このような支持部材３９によって、容器をより安定して保持できる。【００７５】
第二実施形態の容器スタンド３１は、側壁面１４に第一ガイド溝部３８aおよび第二ガイド溝部３８ｂが設けられ、支持部材３９には突起部４４が設けられている。第一ガイド溝部３８ａまたは第二ガイド溝部３８ｂと突起部４４とを係合させることによって、支持部材３９の移動が規制されて、支持部材３９をさらに安定して支持できる。支持部材３９に突起部４４を設けない形態も可能であるが、支持部材３９に突起部４４を設けることによって、支持部材３９がより安定して支持されることとなる。このように安定して支持された支持部材３９によって、容器をより安定して保持できる。【００７６】
ここまで発明の第二実施形態について述べたが、本発明は既述の実施形態に限定されるものではなく、本発明の技術的思想に基づいて各種の変形および変更が可能である。【００７７】
例えば、第二実施形態の第一変形例として、複数個の支持部材３９によって容器を支持してもよい。さらに、複数の支持部材３９を組み合わせて使用することによって、様々な態様で容器を支持できる。従って、さらに様々な容器を安定して保持できる。【００７８】
第二実施形態の第二変形例として、支持部材３９について、第一係合部分４０ａおよび第二係合部分４１ａの形状を、容器に係合可能であれば様々な形状とすることができ、さらに形状の異なる支持部材を複数組み合わせることによって容器を支持してもよい。さらに、様々な容器を安定して保持できる。【００７９】
第二実施形態の第三変形例として、支持部材３９を両面テープ等の粘着材によって、容器スタンド３１に取付けてもよい。支持部材３９をより安定して支持でき、さらに安定して容器が保持されることとなる。【００８０】
第二実施形態の第四変形例として、支持部材３９を取付ける容器スタンドを第二実施形態以外の容器スタンドに用いてもよい。第一実施形態の容器スタンド１１に用いることも可能である。仕様の異なる容器スタンドでも、支持部材３９により様々な種類の容器を保持できる。この際、支持部材３９が、第二実施形態の第一変形例〜第三変形例のように変更されてもよい。【００８１】
本発明の第三実施形態における容器スタンド５１を以下に説明する。特に、第一実施形態から変更した特徴的な形態を説明する。この容器スタンド５１の基本的な構造は、第一実施形態の容器スタンド１１と同一である。第一実施形態と基本的な構造を同一とするものには、同一の名称および同一の符号を用いるものとする。なお、第三実施形態の容器スタンド５１は、第一実施形態の容器スタンド１１と同様な方向で定義されるものとする。また、第三実施形態の容器スタンド５１においても、第一実施形態の第一変形例〜第三変形例と同様の変更が可能である。【００８２】
図１８（ａ）は、本発明の第三実施形態における容器スタンド５１の正面図である。容器スタンド５１の前側部分には、２つの貫通孔５２，５２がそれぞれ設けられている。２つの貫通孔５２，５２は、幅方向に延在する長方形状にそれぞれ形成されている。また、２つの貫通孔５２，５２は、上下方向に互いに間隔を空けてそれぞれ配置されている。板状部材５３が上側の貫通孔５２に挿通されて取付けられている。板状部材５３は、２つの貫通孔５２，５２にそれぞれ挿通可能なように長方形状に形成されている。そのため、板状部材５３を下側の貫通孔５２に挿通させて取付けることもできる。【００８３】
図１８（ｂ）は、図１８（ａ）のＣ−Ｃ断面において、第五の容器５を載置した状態を示す図である。２つの貫通孔５２，５２は、容器スタンド５１の前側部分から開口面１８に向かって前後方向に貫通している。貫通孔５２に挿通された板状部材５３は、開口面１８から後方に向かって突出している。第五の容器５の底部５ｃは、第二段差部２０および支持壁面２１によって支持されている。第五の容器５の側部５ｄは、下方から第一上面１９ａおよび板状部材５３によって支持されている。そのため、第五の容器５の口部５ｂは、前側上方を向くとともに、底部１３の前端部１３ａから前方に突出するように配置されることとなる。【００８４】
よって、第三実施形態の容器スタンド５１は、板状部材５３によっても容器の側部を支持できる。そのため、板状部材５３の突出量および位置などを調節することによって、容器の上下方向の傾きを適宜調節できる。【００８５】
ここまで発明の第三実施形態について述べたが、本発明は既述の実施形態に限定されるものではなく、本発明の技術的思想に基づいて各種の変形および変更が可能である。【００８６】
例えば、第三実施形態の第一変形例として、第二実施形態の容器スタンド５１に貫通孔５２および板状部材５３を設けることも可能であり、第二実施形態の支持部材３９を適宜用いることにより、さらに様々な種類の容器を保持できる。また、第二実施形態の第一変形例〜第四変形例と同様の変更が可能である。【００８７】
第三実施形態の第二変形例として、貫通孔５２の数を二つ以外にしてもよい。貫通孔５２を一つにした場合は、開口面１８の強度を上げることができる。貫通孔５２を３つ以上にした場合は、板状部材５３によって様々な位置で容器を支持でき、様々な角度に容器の口部を傾けることができる。【００８８】
第三実施形態の第三変形例として、２つの貫通孔５２，５２の両方に板状部材を取付けてもよい。２つの板状部材により容器を支持する箇所が増え、さらに容器を安定して保持できる。【００８９】
第三実施形態の第四変形例として、貫通孔５２の形状を円形状、楕円形状、その他の多角形状としてもよい。
【産業上の利用可能性】
【００９０】
粒状、液状、またはジェル状などの流動性のある内容物を収容する容器を載置する用途として適用できる。
【図１】
2009101701.tif 000003
【図２】
2009101701.tif 000004
【図３】
2009101701.tif 000005
【図４】
2009101701.tif 000006
【図５】
2009101701.tif 000007
【図６】
2009101701.tif 000008
【図７】
2009101701.tif 000009
【図８】
2009101701.tif 000010
【図９】
2009101701.tif 000011
【図１０】
2009101701.tif 000012
【図１１】
2009101701.tif 000013
【図１２】
2009101701.tif 000014
【図１３】
2009101701.tif 000015
【図１４】
2009101701.tif 000016
【図１５】
2009101701.tif 000017
【図１６】
2009101701.tif 000018
【図１７ａ】
2009101701.tif 000019
【図１７ｂ】
2009101701.tif 000020
【図１７ｃ】
2009101701.tif 000021
【図１７ｄ】
2009101701.tif 000022
【図１７ｅ】
2009101701.tif 000023
【図１８】
2009101701.tif 000024
【図１９】
2009101701.tif 000025
【国際調査報告】
2009101701.tif 000026
2009101701.tif 000027